(57)【要約】【課題】  回動軸部の回動に際して配線がこすれ損傷することも、緩むこともなく、ヒンジ装置に巻き付け一体化する配線をヒンジ装置に位置決め保持でき、正逆回動を繰り返しても回動がスムーズに行なえ配線に支障が生じず耐久性が著しく向上する画期的なヒンジ装置を提供すること。【解決手段】  第一部材２と第二部材４とを回動自在に枢着するヒンジ装置であって、前記第一部材２に設ける回路部と前記第二部材４に設ける回路部とを電気接続する配線21をヒンジ軸方向に対する周方向に巻回する配線巻回部22を設け、この配線巻回部22は、前記ヒンジ軸となる回動軸部16を覆うカバー筒部８をこの回動軸部16を相対回動自在に設けた軸取付部10に立設状態に設けて、この軸取付部10と一体化されている前記カバー筒部８内でこのカバー筒部８に対して前記回動軸部16が相対回動するように構成し、このカバー筒部８外周に前記配線21を巻回配設する構成としたヒンジ装置。【選択図】      図２
2005234753.tif 000002
【特許請求の範囲】
【請求項１】
第一部材と第二部材とを回動自在に枢着するヒンジ装置であって、前記第一部材に設ける回路部と前記第二部材に設ける回路部とを電気接続する配線をヒンジ軸方向に対する周方向に巻回する配線巻回部を設け、この配線巻回部は、前記ヒンジ軸となる回動軸部を覆うカバー筒部をこの回動軸部を相対回動自在に設けた軸取付部に立設状態に設けて、この軸取付部と一体化されている前記カバー筒部内でこのカバー筒部に対して前記回動軸部が相対回動するように構成し、このカバー筒部外周に前記配線を巻回配設する構成としたことを特徴とするヒンジ装置。
【請求項２】
前記カバー筒部の基端部を前記軸取付部に接合若しくは回り止め係止して前記軸取付部に前記カバー筒部を少なくとも回動方向に対して一体化させ、このカバー筒部内に前記回動軸部を挿通配設して前記軸取付部及びカバー筒部に対して相対回動自在に設け、このカバー筒部外周を前記配線巻回部としたことを特徴とする請求項１記載のヒンジ装置。
【請求項３】
前記第一部材に対して前記第二部材を自転回動する際、前記第一部材側に設けた前記軸取付部及び前記カバー筒部に対して前記第二部材側に設けた前記回動軸部が自転回動するように構成し、このカバー筒部に前記第一部材側からの前記配線を内側にして配線を巻回し、外側の巻き出し配線を前記第二部材側へと導くように巻回配設したことを特徴とする請求項１〜３のいずれか１項に記載のヒンジ装置。
【請求項４】
前記第一部材に対して前記軸取付部を回動自在に設け、前記軸取付部に対して前記第二部材を前記回動軸部を軸に自転回動自在に設けて、前記第一部材に対して前記第二部材を起伏回動自在にして且つ自転回動自在に設けたことを特徴とする請求項１，２のいずれか１項に記載のヒンジ装置。
【請求項５】
操作部を設けた本体部と、ディスプレイ部を設けた重合部とを、重合した状態から前記重合部を相対的に起伏回動できるように、且つ重合部を表裏反転自在となるべく自転回動できるように、前記本体部と前記重合部とを起伏回動自在且つ自転回動自在に連結するヒンジ装置を有し、このヒンジ装置には、前記本体部を前記第一部材若しくは第二部材とし、前記重合部を前記第二部材若しくは第一部材とした前記請求項１〜４のいずれか１項に記載のヒンジ装置を用いたことを特徴とするヒンジ装置を用いた電子機器。
【発明の詳細な説明】
【技術分野】
【０００１】
本発明は、携帯電話，モバイル等の電子機器の枢着部に設けるヒンジ装置並びにこのヒンジ装置を用いた電子機器に関するものである。
【背景技術】
【０００２】
例えば従来の折り畳み式の携帯電話は、数字キーやファンクションキーを配列した操作部を下側となる本体部の上面側に設け、この操作部のキー操作等により所定の表示がなされる液晶パネルなどのディスプレイ部を上側となる重合部（蓋部）の伏面側（重合側）に設け、この本体部と重合部とをヒンジ装置を介して連結して、本体部と重合部とを二つ折り重合して操作部を重合部により隠蔽した折り畳み閉塞状態から、ヒンジ装置により重合部を起伏回動して略反転し、操作部とディスプレイ部とが露出した開放状態に切り替えできるように構成している。
【０００３】
また、従来のこのような単に起伏回動する重合部で本体部の操作部を覆う電子機器においては、折り畳み重合してコンパクト化できるものの操作部を隠蔽した重合状態ではディスプレイ部も隠蔽してしまう構造となり、コンパクト化した状態での使用が制限されざるを得なく不便である場合も多い。
【０００４】
また、コンパクト化のため重合した閉塞状態ではディスプレイ部は隠蔽され、使用時に重合部を開放回動して立ち起こした際にはその正面側にディスプレイ部が配置されるためディスプレイ部を見やすいが、人にディスプレイ部を見せずらいし、またカメラ部をディスプレイ部とは反対面に設けている場合、自身の顔を写してディスプレイ部に表示させる場合などは本体毎操作部も裏返し反転させなければならないため、写しづらいし、シャッター操作もしにくい。
【０００５】
そのため、開放した重合部や開放途中の所定角度で更に自転回動により表裏反転回動できるように構成し、不使用時あるいはキー操作を不要にして折り畳んだ際においても、言い換えるとたとえディスプレイ部を設けた重合部を本体部に重合して操作部を隠蔽したコンパクト化状態においても、従来通りディスプレイ部を伏面側にして操作部と共に隠蔽することも、逆に自転回動反転させてディスプレイ部が上側に配設され、コンパクト化した閉塞状態でもディスプレイ部を視認したり、機能させたりすることが可能となるようにし、またカメラ使用に際しては重合部を起こした所定角度で反転可能にしたものも提案されている。
【発明の開示】
【発明が解決しようとする課題】
【０００６】
このようなヒンジ装置において、開閉動作や自転回動動作に支障をきたすことなく、配線するために、ヒンジ軸方向に対する周方向に配線を巻回する配線巻回部を設け、この配線巻回部に第一部材（本体部）と第二部材（重合部）との回路部を電気接続するためのフレキシブルな帯板状の配線を巻回配設して、回動動作に支障が生じないようにしている。
【０００７】
しかし、単に配線を巻回しただけでは、正逆回動によってこの配線にズレが生じて、回動がスムーズに行なえなくなったり、配線が軸部に接触する為配線自体に支障を生じるおそれがある。
【０００８】
また、一旦ヒンジ装置を組み付けてしまえば、前記のような問題が生じにくいとしても、配線を巻回した組み付け前のヒンジ装置を梱包したり、搬送している間に、即ち、枢着部にヒンジ装置を組み付けるまでの間に、巻回配線が必要以上に緩んだり、組み付け時に接続するフリー接続端があばれて巻き外れたり緩んだりすることがある。
【０００９】
そのため、このヒンジ装置を組み付ける間、配線を止着テープなどで仮止めておくことも試みられているが、配線自体に損傷を与えかねないし、またこれを防止するために仮止テープ位置には十分な注意が必要となる。また、巻回部自体を仮保持することは難しく、それ故巻き外れたり緩んだりした場合は組み付け時に改めて配線を適正に巻き直したり、整えたりしなければならず、組み付け作業が能率良くスピーディーに行なえない問題もあった。
【００１０】
本発明は、このような問題を解決し、ヒンジ軸となる回動軸部に直接配線を巻回せずこの回動軸部に配線巻回部としてカバー筒部を被嵌配設し、このカバー筒部の外周に配線を巻回して、例えば回動軸部を重合部の回動と共に正逆回動させてもカバー筒部内で回動軸部が回動するだけで配線の巻回保持に支障を与えず、しかもこのカバー筒部を単なるフリーなカバーとせず、前記回動軸部を回動自在に設ける軸取付部に対して固定あるいは回り止め状態にして一体化状態に立設し、回動軸部の回動に伴ってカバー筒部は軸取付部と共に一切つられ回動することなく回動軸部に対して相対固定されていて、回動軸部の回動に際して配線がこすれ損傷することも、緩むこともなく、ヒンジ装置に巻き付け一体化する配線をヒンジ装置に位置決め保持でき、正逆回動を繰り返しても回動がスムーズに行なえ配線に支障が生じず耐久性が著しく向上すると共に、第一部材，第二部材に組み付け前のヒンジ装置の梱包や搬送も容易に行なえ、次工程の組み付け作業が能率良くスピーディーに行なえ、量産性に秀れ、品質管理も良好となる極めて画期的なヒンジ装置並びにヒンジ装置を用いた電子機器を提供することを目的としている。
【課題を解決するための手段】
【００１１】
添付図面を参照して本発明の要旨を説明する。
【００１２】
第一部材２と第二部材４とを回動自在に枢着するヒンジ装置であって、前記第一部材２に設ける回路部と前記第二部材４に設ける回路部とを電気接続する配線21をヒンジ軸方向に対する周方向に巻回する配線巻回部22を設け、この配線巻回部22は、前記ヒンジ軸となる回動軸部16を覆うカバー筒部８をこの回動軸部16を相対回動自在に設けた軸取付部10に立設状態に設けて、この軸取付部10と一体化されている前記カバー筒部８内でこのカバー筒部８に対して前記回動軸部16が相対回動するように構成し、このカバー筒部８外周に前記配線21を巻回配設する構成としたことを特徴とするヒンジ装置に係るものである。
【００１３】
また、前記カバー筒部８の基端部を前記軸取付部10に接合若しくは回り止め係止して前記軸取付部10に前記カバー筒部８を少なくとも回動方向に対して一体化させ、このカバー筒部８内に前記回動軸部16を挿通配設して前記軸取付部10及びカバー筒部８に対して相対回動自在に設け、このカバー筒部８外周を前記配線巻回部22としたことを特徴とする請求項１記載のヒンジ装置に係るものである。
【００１４】
また、前記第一部材２に対して前記第二部材４を自転回動する際、前記第一部材２側に設けた前記軸取付部10及び前記カバー筒部８に対して前記第二部材４側に設けた前記回動軸部16が自転回動するように構成し、このカバー筒部８に前記第一部材２側からの前記配線21を内側にして配線21を巻回し、外側の巻き出し配線21を前記第二部材４側へと導くように巻回配設したことを特徴とする請求項１〜３のいずれか１項に記載のヒンジ装置に係るものである。
【００１５】
また、前記第一部材２に対して前記軸取付部10を回動自在に設け、前記軸取付部10に対して前記第二部材４を前記回動軸部16を軸に自転回動自在に設けて、前記第一部材２に対して前記第二部材４を起伏回動自在にして且つ自転回動自在に設けたことを特徴とする請求項１，２のいずれか１項に記載のヒンジ装置に係るものである。
【００１６】
また、操作部１を設けた本体部２と、ディスプレイ部３を設けた重合部４とを、重合した状態から前記重合部４を相対的に起伏回動できるように、且つ重合部４を表裏反転自在となるべく自転回動できるように、前記本体部２と前記重合部４とを起伏回動自在且つ自転回動自在に連結するヒンジ装置を有し、このヒンジ装置には、前記本体部２を前記第一部材２若しくは第二部材４とし、前記重合部４を前記第二部材４若しくは第一部材２とした前記請求項１〜４のいずれか１項に記載のヒンジ装置を用いたことを特徴とするヒンジ装置を用いた電子機器に係るものである。
【発明の効果】
【００１７】
本発明は上述のように構成したから、ヒンジ装置自体の簡単な改良によって、回動軸部の回動に伴って配線を巻回するカバー筒部は軸取付部と共に一切つられ回動することなく回動軸部に対して相対固定されていて、回動軸部の回動に際して配線がこすれ損傷することも、緩むこともなく、ヒンジ装置に巻き付け一体化する配線をヒンジ装置に位置決め保持でき、正逆回動を繰り返しても回動がスムーズに行なえ配線に支障が生じず耐久性が著しく向上すると共に、それ故第一部材，第二部材に組み付け前のヒンジ装置の梱包や搬送も容易に行なえ、次工程の組み付け作業が能率良くスピーディーに行なえ、量産性に秀れ、品質管理も良好となる極めて画期的なヒンジ装置並びにヒンジ装置を用いた電子機器となる。
【００１８】
また、特に請求項２記載の発明においては、一層簡易な構成で容易に実現できる一層実用性に秀れたヒンジ装置となる。
【００１９】
また、請求項３記載の発明においては、更に固定側と一体化したカバー筒部に固定側を内側にして巻回し、外周の巻き出し側を自転回動側へ配線するため、自転正逆回動に際して、巻回が巻き締められたり、緩んだりするだけで、巻回したカバー筒部は回動しない上に配線とのこすれも生じなく、一層耐久性に秀れた画期的なヒンジ装置となる。
【発明を実施するための最良の形態】
【００２０】
好適と考える本発明の最良の形態（発明をどのように実施するのが最良か）を、図面に基づいて本発明の作用効果を示して簡単に説明する。
【００２１】
組み付け製作したヒンジ装置の配線巻回部22に配線21を回動軸部16に巻回配設して配線21があばれないように位置決めすると共に、ヒンジ装置と配線21とを一体化保持し、次工程のヒンジ装置の組み付け作業において、この配線21の各フリー接続端を例えばヒンジ連結する第一部材２の回路部と第二部材４の回路部に夫々接続する。
【００２２】
しかも、この配線21は回動軸部16に被嵌状態に設けたカバー筒部８に巻回するが、このカバー筒部８は単なるフリーなカバーとせず、前記回動軸部16を回動自在に設ける軸取付部10に対して固定あるいは回り止め状態にして一体化状態に立設している。
【００２３】
例えば、カバー筒部８の基端部を前記軸取付部10に接合若しくは回り止め係止して前記軸取付部10に前記カバー筒部８を少なくとも回動方向に対して一体化させ、このカバー筒部８内に前記回動軸部16を挿通配設して前記軸取付部10及びカバー筒部８に対して相対回動自在に設け、このカバー筒部８外周を前記配線巻回部22としている。
【００２４】
従って、回動軸部16の回動に伴ってカバー筒部８は軸取付部10と共に一切つられ回動することなく回動軸部16に対して相対固定されていて、回動軸部16の回動に際して配線21がこすれ損傷することも、緩むこともなく、ヒンジ回動動作に支障を生じることなくヒンジ装置の回動軸部16に被嵌配設したカバー筒部８の外周にからめた一体化状態が保持され、そのため、回動動作を正逆方向に繰り返しても適正な巻回状態がくずれることがない為スムーズな回動が保持でき耐久性に秀れ、ヒンジ装置と共に配線21を容易に組み付けることができる。
【００２５】
しかも、例えば前記第一部材２に対して前記第二部材４を自転回動する際、前記第一部材２側に設けた前記軸取付部10及び前記カバー筒部８に対して前記第二部材４側に設けた前記回動軸部16が自転回動するように構成し、このカバー筒部８に前記第一部材２側からの前記配線21を内側にして配線21を巻回し、外側の巻き出し配線21を前記第二部材４側へと導くように巻回配設すれば、即ち、固定側と一体化したカバー筒部８に固定側を内側にして巻回し、外周の巻き出し側を自転回動側へ配線すれば、自転正逆回動に際して、巻回が巻き締められたり、緩んだりするだけで、巻回したカバー筒部８は回動しない上に配線21とのこすれも生じなく、一層耐久性に秀れた画期的なヒンジ装置となる。
【実施例】
【００２６】
本発明の具体的な実施例について図面に基づいて説明する。
【００２７】
本実施例は、以下の構成に限られるものではないが、重合コンパクト化の図れる以下の構成の携帯電話並びに以下の構成の携帯電話に用いるヒンジ装置に本発明を適用したもので、回路基板，電源等の電子部品をケースに内装した板状の本体部２（第一部材２）の上面側に数字キーやファンクションキーなどを配列したキーボード機能を果たす操作部１を設け、この本体部２に重合して操作部１を覆う略同形の板状の重合部４（第二部材４）を起伏回動自在にヒンジ装置Ｈにより軸着連結した構成としている。
【００２８】
この重合部４の下面側（伏面）には予め設定した画面や前記操作部１の操作や着信等により所定の表示がなされる液晶パネルなどのディスプレイ部３を設けている。
【００２９】
この本体部２と重合部４との連結は、双方の端部同志の重合部分を、幅方向に配される起伏回動軸部９と、これと直交する方向に配される自転回動軸部16を有する二軸のヒンジ装置Ｈにより連結し、従来通り重合部４は起伏回動自在となり、且つ左右方向に１８０度自転回動自在となり、開放状態として１８０度反転回動することで、重合部４の表裏向きを切り替えでき、また互いに重合した閉塞状態における重合部４の伏面と露出面とを反転切り替えできるように構成している。
【００３０】
従って、コンパクト化された重合状態で、従来通り不使用時に操作部１と共にディスプレイ部３を重合隠蔽することもできるが、簡単な反転操作でディスプレイ部３を重合部４の上面側に配されるように切り替えできるため、操作部１は操作できないにしてもディスプレイ部３を視認することができ、また、例えば予め操作部１により設定するなどした日付やカレンダーを表示させたり、またデータ通信表示（携帯電話では例えば着信表示など）を行うようにしたりすれば、ディスプレイ部３は視認できるため様々な使用が可能となり、使用用途が広がったり、機能性が向上し、非常に便利となり実用性（商品価値）が高まる。
【００３１】
また、前述のように重合部４を立ち起こした際、重合部４を自転回動して反転させることで、重合部４の表裏向きを変更して、例えばディスプレイ部３を手前に向けることも、向こう側に向けることもできるため、人に見せることも容易となるだけでなく、例えばカメラ部がディスプレイ部３と反対面に設けられている場合、自身の顔を操作部１の操作により撮影する場合は、単に重合部４のみを反転させれば良いため、持ち替える必要もないし、また操作部１は手前にあるため、シャッター操作もし易い。
【００３２】
また、例えば自転回動させた反転途中での起伏回動を規制し、例えば起伏回動途中に設けた自転回動可能な開放位置や完全開放位置では反転できるが、それ以外の開放途中では自転回動できず、また開放位置で反転途中のままでは閉塞回動できず、重合部が捩れた位置のまま閉塞することで誤って操作部を押し操作したり、本体部を傷めないようにすることもできる。
【００３３】
また、起伏回動軸部９や自転回動軸部16の軸方向に配線巻回部22，23を設けているため、前記第一部材２に設ける回路部（内装する回路基板）と前記第二部材４に設ける回路部（内装する回路基板）とを電気接続する配線21を配線巻回部22，23に巻回させて配設することができるため、このような開閉・自転動作に支障をきたすことなく、容易に配線できる。
【００３４】
即ち、予めヒンジ装置自体に、支障なく配線できる配線巻回部22，23を設けているため、配線も容易に行え、製作容易となる。
【００３５】
次に本発明を適用するヒンジ装置Ｈの一例について説明する。
【００３６】
本実施例では、前述のように本体部２と重合部４とを互いに重合した閉塞状態から起伏回動軸部９を軸として所定角度まで開放回動して重合面が露出する開放状態となるように起伏回動自在にして、且つ本体部２に対して開放回動する重合部４を自転回動軸部16を軸として自転回動自在にして重合部４の重合伏面と露出面とを反転切り替え自在に連結するヒンジ装置Ｈであって、前記起伏回動軸部９を備えた開閉回動ヒンジ部ＨＡの一方の取付部５を前記本体部２に連結し、他方の取付部６を前記自転回動軸部16を備えた自転回動ヒンジ部ＨＢを介して前記重合部４に連結して、前記自転回動ヒンジ部ＨＢを前記開閉回動ヒンジ部ＨＡにより起伏回動（公転回動）自在に設け、この開閉回動ヒンジ部ＨＡと自転回動ヒンジ部ＨＢとにより、閉塞状態から所定角度以上開放回動した回動範囲（開放状態）において、前記重合部４を前記本体部２に対して１８０度正逆自転回動自在となるように構成している。
【００３７】
先ず、この開閉回動ヒンジ部ＨＡについて説明すると、前記自転回動軸部16の軸取付部10となる前記ベース部10に回り止め係合する係合部10Ａを介して設ける起伏回動軸部９を、ベース部10の側方に配した回り止め形状の筒状ケース12内に配し、この筒状ケース12内に前記起伏回動軸部９を軸として互いに凹凸係合するカム部13とカム係合部14の少なくとも一方（カム部13）を相対回動自在にしてバネ11により係合方向に付勢された状態でスライド自在に内装し、他方（カム係合部14）を本実施例では前記回り止め係合部10Ａと一体に設けて、この筒状ケース12を取付部５を介して第一部材２に係合すると共に、起伏回動軸部９の反対端も前記ベース部10に設ける自転回動ヒンジ部ＨＢを介して第一部材２に係合している。従って、所定起伏回動位置では、カム係合付勢とバネ11による係合付勢とで位置決め（カムロック）されるように構成し、例えば起伏回動の閉塞状態ではカム係合途中にあって閉塞付勢され、起伏回動の開放状態ではカム係合保持（カムロック）され、また起伏回動途中ではバネ付勢により回動抵抗が生じ、手を放した回動位置が保持されるフリーストップを実現できるように構成している。
【００３８】
本実施例では、起伏回動軸部９が挿通されて筒状ケース12と共回りする前記カム部13をスライド自在に筒状ケース12に内装し、他方のカム係合部14は、起伏回動軸９と前記ベース部10とを連結する回り止め係合部10Ａに一体形成している。
【００３９】
そしてこの本体部２（筒状ケース12）に対して起伏回動軸部９を軸にこの回動軸部９とともに回動するベース部10に、重合部４を自転回動ヒンジ部ＨＢを介して自転回動自在に連結している。
【００４０】
この自転回動軸部16を備えた自転回動ヒンジ部ＨＢは、前記ベース部10（軸取付部10）の軸孔に自転回動軸部16の下端係止部７を回動自在に挿通し、この自転回動軸部16の上端に設けた取付部６を介して重合部４に連結し、この自転回動軸部16に回り止めされるカム部17を挿通してこのカム部17を自転回動軸部16に沿ってスライド自在に設けると共にバネ19により係合付勢されるように構成し、このカム部17にカム係合するカム係合部18を前記ベース部10に一体に設けた構成としている。
【００４１】
従って、重合部４は自転回動軸部16を軸に自転回動し、前記カム部17とカム係合部18とのカム係合により、重合閉塞状態できる捩れのない表裏１８０度反転回動向きではカムロックされるように構成している。
【００４２】
また、捩れのない向きから捩れのない向きへ１８０度自転回動（表裏反転）する際には、バネ19に抗してカム部17がカム係合部18に対して自転回動軸部16に沿って離脱して相対回動し、０度と１８０度反転位置で開閉回動ヒンジ部ＨＡと略同様に互いに凹凸係合してカムロックされると共に、自転回動途中位置ではバネ付勢によりフリーストップが実現されるようにして、閉塞回動可能となる捩れのない０度，１８０度回動位置で位置決めされ、ふらつき回動しないように構成している。
【００４３】
また、本実施例では配線に支障のないように略１８０度以上回動せずこの範囲において正逆自転回動自在となるように自転回動軸部16と共に回動するカム部17と、ベース部10とに互いに突き合い係止するストッパー部20を設けている。
【００４４】
また、本実施例では、前記開閉回動ヒンジ部ＨＡの前記起伏回動軸部９若しくはこの起伏回動軸部９の軸方向に設ける部材に、前記第一部材２に設ける回路部と前記第二部材４に設ける回路部とを電気接続する配線21を巻回する配線巻回部23を設けると共に、前記自転回動ヒンジ部ＨＢの前記自転回動軸部16にも、前記第一部材２に設ける回路部と前記第二部材４に設ける回路部とを電気接続する配線21を巻回する配線巻回部22を設けている。
【００４５】
即ち、前記開閉回動ヒンジ部ＨＡの起伏回動軸部９の一部若しくはこの軸方向に設けた部分であって前記軸取付部10（ベース部10）の側方部に、外周部に前記配線21の巻回スペースが確保される部分を形成して前記配線巻回部23を設けている。
【００４６】
また、自転回動軸部16には、その中間部に巻回し易い円筒状の径大なカバー筒部８を被嵌してこれも配線巻回部22としている。
【００４７】
具体的には、前記ベース部10のカム係合ロック機構（筒状ケース12）を設けた側と反対側に延長した起伏回動軸部９を第一部材２に係合するが、この反対側は単に起伏回動軸部９を延長するだけの構成、即ち、延長した軸部にはカム係合機構は設けず、この延長した部分（起伏回動軸部９の一部）を配線巻回部23としている。
【００４８】
即ち、本実施例では、起伏回動軸部９の片側には、配線21、具体的にはフレキシブル配線21を数回巻回固定保持する巻回部分としての配線巻回部23を設けている。そして、自転回動軸部16のベース部10との取付部分にも配線21を捲き付ける部位を形成して配線巻回部22を設けている。
【００４９】
この自転回動軸部16に設ける配線巻回部22は、前記カバー筒部８の基端部を前記軸取付部10に接合して、前記自転回動ヒンジ軸となる回動軸部16を覆うカバー筒部８をこの回動軸部16を相対回動自在に設けた軸取付部10に立設状態に設けている。従って、この軸取付部10と一体化されている前記カバー筒部８内でこのカバー筒部８に対して前記回動軸部16が相対回動するように構成し、このカバー筒部８外周に前記配線21を巻回配設する構成としている。
【００５０】
即ち、このカバー筒部８内に前記回動軸部16を挿通配設して前記軸取付部10及びカバー筒部８に対して相対回動自在に設け、このカバー筒部８外周を前記配線巻回部22としている。
【００５１】
また、このカバー筒部８に前記第一部材２側からの前記配線21を内側にして配線21を巻回し、外側の巻き出し配線21を前記第二部材４側へと導くように巻回配設している。
【００５２】
即ち、本体部２からの配線21は、前記開閉回動ヒンジ部ＨＡの起伏回動軸部９の軸方向に設けた配線巻回部23に巻回した後、軸取付部10に設けた配線係止部24に係止固定され、この配線係止部24を介して軸取付部10に係止固定され直角に折曲された配線21を内側にしてカバー筒部８に数回巻回し、外周側より巻き出された配線21を重合部４のディスプレイ部３へと配設する構成としている。
【００５３】
従って、回動軸部16の回動に伴ってカバー筒部８は軸取付部10と共に一切つられ回動することなく回動軸部16に対して相対固定されていて、回動軸部16の回動に際して配線21がこすれ損傷することも、緩むこともなく、ヒンジ回動動作に支障を生じることなくヒンジ装置の回動軸部16に被嵌配設したカバー筒部８の外周にからめた一体化状態が保持され、そのため、回動動作を正逆方向に繰り返しても適正な巻回状態がくずれることがない為スムーズな回動が保持でき耐久性に秀れ、ヒンジ装置と共に配線21を容易に組み付けることができる。
【００５４】
しかも、本体部２に対して重合部４を自転回動する際、本体部２側に設けた前記軸取付部10及び前記カバー筒部８に対して重合部４側に設けた前記回動軸部16が自転回動するが、このカバー筒部８に本体部２側からの配線21を内側にして配線21を巻回し、外側の巻き出し配線21を重合部４側へと導くように巻回配設したから、即ち、手持ち固定側と一体化したカバー筒部８に固定側を内側にして巻回し、外周の巻き出し側を自転回動側へ配線したから、自転正逆回動に際して、巻回が一巻き分巻き締められたり、緩んだりするだけで、巻回したカバー筒部８は回動しない上に配線21とのこすれも生じなく、一層耐久性に秀れた画期的なヒンジ装置となる。
【００５５】
尚、起伏回動軸部９側にも自転回動軸部16のように軸取付部10に接合されたカバー筒部８を設けてもよい。
【００５６】
尚、本発明は、実施例に限られるものではなく、各構成要件の具体的構成は適宜設計し得るものである。
【図面の簡単な説明】
【００５７】
【図１】本実施例の使用状態を示す説明斜視図である。
【図２】本実施例の配線を巻回する前の説明斜視図である。
【図３】本実施例の図２の説明分解斜視図である。
【図４】本実施例の巻回配線の状態を示す説明斜視図である。
【図５】本実施例の自転回動時の動きを示す説明斜視図である。
【図６】本実施例の自転回動時の動きを示す１５０度自転回動位置での説明斜視図である。
【図７】本実施例のベース部の説明斜視図である。
【図８】本実施例のカバー筒部、自転回動軸部の部分断面図である。
【図９】本実施例の起伏回動軸部と自転回動軸部の自転開放位置での説明斜視図である。
【図１０】本実施例の自転回動時の配線の動きを示す説明斜視図である。
【図１１】本実施例の回動軸部と配線の動きを示す説明断面図である。
【符号の説明】
【００５８】
１  操作部
２  第一部材（本体部）
３  ディスプレイ部
４  第二部材（重合部）
８  カバー筒部
10  軸取付部（ベース部）
16  回動軸部（自転回動軸部）
21  配線
22  配線巻回部（自転回動側）
【図１】
2005234753.tif 000003
【図２】
2005234753.tif 000004
【図３】
2005234753.tif 000005
【図４】
2005234753.tif 000006
【図５】
2005234753.tif 000007
【図６】
2005234753.tif 000008
【図７】
2005234753.tif 000009
【図８】
2005234753.tif 000010
【図９】
2005234753.tif 000011
【図１０】
2005234753.tif 000012
【図１１】
2005234753.tif 000013